(57)【特許請求の範囲】
【請求項１】
タッチ操作の入力を受け付け可能な表示部と、
画像を読み取るための画像読取部と、
前記画像読取部により読取られた読取画像データをプレビュー表示するプレビュー画面を前記表示部に表示するための表示制御部と、
前記表示部へのユーザーによるタッチ操作の操作態様に応じて、後処理種別を特定するための種別特定部と、
前記表示部へのユーザーによる前記タッチ操作の操作領域に応じて、後処理位置を特定するための位置特定部と、
前記種別特定部により特定された前記後処理種別と、前記位置特定部により特定された前記後処理位置とからなる後処理が可能か否かを判断する判断部と、
前記後処理が可能であるとの前記判断部の判断に応じて、前記読取画像データを回転させずに画像処理し、前記後処理が可能でないとの前記判断部の判断に応じて、後処理が可能なように前記読取画像データを回転させて画像処理する画像処理部と、
前記画像処理部により画像処理された画像をシートに形成し、前記シートに対して前記後処理を行なう後処理部に前記シートを出力する画像形成部とを備え、
前記プレビュー画面を表示する前記表示部における、前記読取画像データがプレビュー表示されていない領域を含む領域と、前記シート上での後処理位置とが対応付けられており、
前記位置特定部は、前記読取画像データがプレビュー表示されていない領域を含む、ユーザーによる前記タッチ操作が行われた前記表示部における領域に基づいて、前記シート上での後処理位置を特定する、画像形成装置。
【請求項２】
前記表示制御部は、前記後処理が可能であるとの前記判断部の判断に応じて、前記画像形成されたシートに対する前記後処理を反映させた後処理後プレビュー画面を前記表示部に表示させる、請求項１に記載の画像形成装置。
【請求項３】
前記種別特定部による前記後処理種別の特定および、前記位置特定部による後処理位置の特定は、ユーザーからの前記表示部のプレビュー画面の表示領域内におけるタッチ操作に対応して反映される、請求項１または２に記載の画像形成装置。
【請求項４】
前記種別特定部は、前記表示部へのユーザーによる所定の操作態様である第１のタッチ操作に応じて前記後処理種別を特定し、前記位置特定部は前記第１のタッチ操作とは異なる第２のタッチ操作の操作領域に応じて前記後処理位置を特定する、請求項１〜３のいずれか１項に記載の画像形成装置。
【請求項５】
前記位置特定部は、ユーザーから所定の前記操作態様でタッチ操作された操作領域に応じて前記後処理位置を特定できないときに、前記タッチ操作とは別のタッチ操作があった場合、前記別のタッチ操作の操作領域に応じて、前記後処理位置を特定する、請求項１〜３のいずれか１項に記載の画像形成装置。
【請求項６】
前記種別特定部は、前記プレビュー画面におけるユーザーからの前記タッチ操作の操作態様がＺ文字のタッチ操作入力であった場合、後処理種別をＺ折り処理と判断する請求項１〜５のいずれか１項に記載の画像形成装置。
【請求項７】
前記種別特定部は、前記プレビュー画面におけるユーザーからの前記タッチ操作の操作態様がＰ文字のタッチ操作入力であった場合、後処理種別をパンチ処理と判断する請求項１〜６のいずれか１項に記載の画像形成装置。
【請求項８】
前記種別特定部は、前記プレビュー画面におけるユーザーからの前記タッチ操作の操作態様がＳ文字のタッチ操作入力であった場合、後処理種別をステープル処理と判断する請求項１〜７のいずれか１項に記載の画像形成装置。
【請求項９】
タッチ操作の入力を受け付け可能な表示手段を備えた画像形成装置の制御方法であって、
画像を読取るステップと、
前記読取るステップにより読取られた読取画像データをプレビュー表示するプレビュー画面を前記表示手段に表示するステップと、
前記表示手段へのユーザーによるタッチ操作の操作態様に応じて、後処理種別を特定するステップと、
前記表示手段へのユーザーによる前記タッチ操作の操作領域に応じて、後処理位置を特定するステップと、
前記後処理種別を特定するステップにより特定された前記後処理種別と、前記後処理位置を特定するステップにより特定された前記後処理位置とからなる後処理が可能な否かを判断するステップと、
前記後処理が可能であるとの前記判断するステップの判断に応じて、前記読取画像データを回転させずに画像処理し、前記後処理が可能でないとの前記判断するステップの判断に応じて、後処理が可能なように前記読取画像データを回転させて画像処理するステップと、
前記画像処理するステップにより画像処理された画像をシートに形成し、前記シートに対して前記後処理を行なう後処理部に前記シートを出力するステップとを含み、
前記プレビュー画面を表示する前記表示手段における、前記読取画像データがプレビュー表示されていない領域を含む領域と、前記シート上での後処理位置とが対応付けられており、
前記後処理位置を特定するステップは、前記読取画像データがプレビュー表示されていない領域を含む、ユーザーによる前記タッチ操作が行われた前記表示手段における領域に基づいて、前記シート上での後処理位置を特定することを含む、画像形成装置の制御方法。
【請求項１０】
前記表示するステップは、前記後処理が可能であるとの前記判断するステップの判断に応じて、前記画像形成されたシートに対する前記後処理を反映させた後処理後プレビュー画面を前記表示手段に表示することを含む、請求項９に記載の画像形成装置の制御方法。
【請求項１１】
前記後処理種別を特定するステップによる前記後処理種別の特定および、前記後処理位置を特定するステップによる後処理位置の特定は、ユーザーからの前記表示手段のプレビュー画面の表示領域内におけるタッチ操作に対応して反映される、請求項９または１０に記載の画像形成装置の制御方法。
【請求項１２】
前記後処理種別を特定するステップは、前記表示手段へのユーザーによる所定の操作態様である第１のタッチ操作に応じて前記後処理種別を特定することを含み、前記後処理位置を特定するステップは前記第１のタッチ操作とは異なる第２のタッチ操作の操作領域に応じて前記後処理位置を特定することを含む、請求項９〜１１のいずれか１項に記載の画像形成装置の制御方法。
【請求項１３】
前記後処理位置を特定するステップは、ユーザーから所定の前記操作態様でタッチ操作された操作領域に応じて前記後処理位置を特定できないときに、前記タッチ操作とは別のタッチ操作があった場合、前記別のタッチ操作の操作領域に応じて、前記後処理位置を特定することを含む、請求項９〜１１のいずれか１項に記載の画像形成装置の制御方法。
【請求項１４】
前記後処理種別を特定するステップは、前記プレビュー画面におけるユーザーからの前記タッチ操作の操作態様がＺ文字のタッチ操作入力であった場合、後処理種別をＺ折り処理と判断することを含む、請求項９〜１３のいずれか１項に記載の画像形成装置の制御方法。
【請求項１５】
前記後処理種別を特定するステップは、前記プレビュー画面におけるユーザーからの前記タッチ操作の操作態様がＰ文字のタッチ操作入力であった場合、後処理種別をパンチ処理と判断することを含む、請求項９〜１４のいずれか１項に記載の画像形成装置の制御方法。
【請求項１６】
前記後処理種別を特定するステップは、前記プレビュー画面におけるユーザーからの前記タッチ操作の操作態様がＳ文字のタッチ操作入力であった場合、後処理種別をステープル処理と判断することを含む、請求項９〜１５のいずれか１項に記載の画像形成装置の制御方法。
【請求項１７】
請求項９〜１６のいずれか１項に記載の画像形成装置の制御方法を当該画像形成装置に実行させるためのプログラム。
【発明の詳細な説明】
【技術分野】
【０００１】
本発明は、プレビュー画面上で後処理の設定を可能とする画像形成装置、画像形成装置の制御方法、およびプログラムに関する。
【背景技術】
【０００２】
従来より、プリンタや複写機等の画像形成装置において、原稿画像を読み取った画像データを画像形成前にプレビュー表示し、その表示をユーザーが確認した後に画像形成を行なうものがある。また、プレビュー画面において、複数の原稿を読み取った画像データにおいて、ユーザーが視覚的な操作により画像形成後の仕上がり状態を設定できるものがある。
【０００３】
たとえば、特開２００６−２４７８７３号公報（特許文献１）には、複数の原稿を読み取った画像データのプレビュー画面においてユーザーのタッチ操作により画像形成後の用紙の見開き状態を設定する方式が開示されている。
【０００４】
一方、画像形成装置から排出される記録済みの用紙を受け入れ、所定の後処理を実行する後処理装置を備えた画像形成装置がある。後処理とは、たとえば、画像形成を行なう用紙にステープル針処理、パンチ（丸穴開け）処理、紙折り処理などの仕上げ処理を実行することをいう。当該画像形成装置では、画像データを画像形成させる際に、ユーザーの設定に応じて上記の様々な仕上げ処理が可能となる。後処理設定をする際に、ボタンなどにより設定するものもあるが、この場合、後処理後の仕上がり状態をイメージすることが容易ではない。従って、ユーザーの視覚的な操作による後処理設定と当該設定された後処理後の仕上がり状態とを確認できるように、画像データのプレビュー表示画面上においてユーザーが後処理を設定でき、かつ、その設定された後処理の仕上がり状態をプレビュー表示させるようにしたものがある。
【０００５】
たとえば、特開２００７−２８０３６９号公報（特許文献２）には、プレビュー画面上にステープル処理を実行することが可能な処理位置が表示され、当該処理位置をユーザーが選択することによって、ステープル処理の設定を可能とする方式が開示されている。  
【０００６】
たとえば、特開２０１０−０４１０６３号公報（特許文献３）には、プレビュー画面上の領域と後処理設定とを予め関連付けておくことで、ユーザーのタッチ操作した領域によってパンチやステープル等の後処理の設定を可能とする方式が開示されている。
【先行技術文献】
【特許文献】
【０００７】
【特許文献１】特開２００６−２４７８７３号公報
【特許文献２】特開２００７−２８０３６９号公報
【特許文献３】特開２０１０−０４１０６３号公報
【発明の概要】
【発明が解決しようとする課題】
【０００８】
しかしながら、上記に開示された技術によると、設定可能な後処理の位置が決まっているため、ユーザーが天地方向を間違えて原稿をセットして画像を読み取った場合、原稿をセットし直して再度画像の読取を行なうか、またはユーザー自身で画像の回転処理を行なってから、後処理設定を行なう必要があった。
【０００９】
本発明は、上記の問題点を解決するためになされたものであって、ユーザーが後処理の設定をする際に、ユーザーの利便性を向上させることが可能な画像形成装置、その制御方法およびその制御プログラムを提供することを目的とする。
【課題を解決するための手段】
【００１０】
本発明のある局面に従うと、画像形成装置は、タッチ操作の入力を受け付け可能な表示部と、画像を読み取るための画像読取部と、画像読取部により読取られた読取画像データをプレビュー表示するプレビュー画面を表示部に表示するための表示制御部と、表示部へのユーザーによるタッチ操作の操作態様に応じて、後処理種別を特定するための種別特定部と、表示部へのユーザーによるタッチ操作の操作領域に応じて、後処理位置を特定するための位置特定部と、種別特定部により特定された後処理種別と、位置特定部により特定された後処理位置とからなる後処理が可能か否かを判断する判断部と、後処理が可能であるとの判断部の判断に応じて、読取画像データを回転させずに画像処理し、後処理が可能でないとの判断部の判断に応じて、後処理が可能なように読取画像データを回転させて画像処理する画像処理部と、画像処理部により画像処理された画像をシートに形成し、シートに対して後処理を行なう後処理部にシートを出力する画像形成部とを備え、プレビュー画面を表示する表示部における、読取画像データがプレビュー表示されていない領域を含む領域と、シート上での後処理位置とが対応付けられており、位置特定部は、読取画像データがプレビュー表示されていない領域を含む、ユーザーによるタッチ操作が行われた表示部における領域に基づいて、シート上での後処理位置を特定する。
【００１１】
好ましくは、表示制御部は、後処理が可能であるとの判断部の判断に応じて、画像形成されたシートに対する後処理を反映させた後処理後プレビュー画面を表示部に表示させる。
【００１２】
好ましくは、種別特定部による後処理種別の特定および、位置特定部による後処理位置の特定は、ユーザーからの表示部のプレビュー画面の表示領域内におけるタッチ操作に対応して反映される。
【００１３】
好ましくは、種別特定部は、表示部へのユーザーによる所定の操作態様である第１のタッチ操作に応じて後処理種別を特定し、位置特定部は第１のタッチ操作とは異なる第２のタッチ操作の操作領域に応じて後処理位置を特定する。
【００１４】
好ましくは、位置特定部は、ユーザーから所定の操作態様でタッチ操作された操作領域に応じて後処理位置を特定できないときに、タッチ操作とは別のタッチ操作があった場合、別のタッチ操作の操作領域に応じて、後処理位置を特定する。
【００１５】
好ましくは、種別特定部は、プレビュー画面におけるユーザーからのタッチ操作の操作態様がＺ文字のタッチ操作入力であった場合、後処理種別をＺ折り処理と判断する。
【００１６】
好ましくは、種別特定部は、プレビュー画面におけるユーザーからのタッチ操作の操作態様がＰ文字のタッチ操作入力であった場合、後処理種別をパンチ処理と判断する。
【００１７】
好ましくは、種別特定部は、プレビュー画面におけるユーザーからのタッチ操作の操作態様がＳ文字のタッチ操作入力であった場合、後処理種別をステープル処理と判断する。
【００１８】
本発明の他の局面に従うと、タッチ操作の入力を受け付け可能な表示手段を備えた画像形成装置の制御方法を提供する。画像形成装置の制御方法は、画像を読取るステップと、読取るステップにより読取られた読取画像データをプレビュー表示するプレビュー画面を表示手段に表示するステップと、表示手段へのユーザーによるタッチ操作の操作態様に応じて、後処理種別を特定するステップと、表示手段へのユーザーによるタッチ操作の操作領域に応じて、後処理位置を特定するステップと、後処理種別を特定するステップにより特定された後処理種別と、後処理位置を特定するステップにより特定された後処理位置とからなる後処理が可能な否かを判断するステップと、後処理が可能であるとの判断するステップの判断に応じて、読取画像データを回転させずに画像処理し、後処理が可能でないとの判断するステップの判断に応じて、後処理が可能なように読取画像データを回転させて画像処理するステップと、画像処理するステップにより画像処理された画像をシートに形成し、シートに対して後処理を行なう後処理部にシートを出力するステップとを含み、プレビュー画面を表示する表示手段における、読取画像データがプレビュー表示されていない領域を含む領域と、シート上での後処理位置とが対応付けられており、後処理位置を特定するステップは、読取画像データがプレビュー表示されていない領域を含む、ユーザーによるタッチ操作が行われた表示手段における領域に基づいて、シート上での後処理位置を特定することを含む。
好ましくは、表示するステップは、後処理が可能であるとの判断するステップの判断に応じて、画像形成されたシートに対する後処理を反映させた後処理後プレビュー画面を表示手段に表示することを含む。
好ましくは、後処理種別を特定するステップによる後処理種別の特定および、後処理位置を特定するステップによる後処理位置の特定は、ユーザーからの表示手段のプレビュー画面の表示領域内におけるタッチ操作に対応して反映される。
好ましくは、後処理種別を特定するステップは、表示手段へのユーザーによる所定の操作態様である第１のタッチ操作に応じて後処理種別を特定することを含み、後処理位置を特定するステップは第１のタッチ操作とは異なる第２のタッチ操作の操作領域に応じて後処理位置を特定することを含む。
好ましくは、後処理位置を特定するステップは、ユーザーから所定の操作態様でタッチ操作された操作領域に応じて後処理位置を特定できないときに、タッチ操作とは別のタッチ操作があった場合、別のタッチ操作の操作領域に応じて、後処理位置を特定することを含む。
好ましくは、後処理種別を特定するステップは、プレビュー画面におけるユーザーからのタッチ操作の操作態様がＺ文字のタッチ操作入力であった場合、後処理種別をＺ折り処理と判断することを含む。
好ましくは、後処理種別を特定するステップは、プレビュー画面におけるユーザーからのタッチ操作の操作態様がＰ文字のタッチ操作入力であった場合、後処理種別をパンチ処理と判断することを含む。
好ましくは、後処理種別を特定するステップは、プレビュー画面におけるユーザーからのタッチ操作の操作態様がＳ文字のタッチ操作入力であった場合、後処理種別をステープル処理と判断することを含む。
【００１９】
本発明の他の局面に従うと、上記画像形成装置の制御方法を当該画像形成装置に実行させるためのプログラムを提供する。
【発明の効果】
【００２０】
以上のように、本発明によれば、ユーザーが後処理の設定をする際に、ユーザーの利便性を向上させることができる。
【図面の簡単な説明】
【００２１】
【図１】本発明の実施の形態に従う画像形成装置と後処理装置とを含む画像形成システムの概略構成を示す図である。
【図２】本発明の実施の形態に従う画像形成装置のハードウェア構成を示すブロック図である。
【図３】本発明の実施の形態に従う操作パネルの外観の一例を示した図である。
【図４】本発明の実施の形態に従う画像形成システムの機能構成を示す模式図である。
【図５】本発明の実施の形態に従う画像形成装置において実行される処理手順を示すフローチャートである。
【図６】本発明の実施の形態に従う後処理装置において実行されるフローチャートである。
【図７】本発明の実施の形態に従う後処理装置において通紙方向に対して可能な後処理位置の一例を示した図である。
【図８】ディスプレイに表示されるプレビュー画面に予め関連付けられている後処理位置を特定する領域を示す図である。
【図９】本発明の実施の形態１に従う画像形成装置の後処理種別を特定するための描画パターンの初期設定手順のフローチャートである。
【図１０】ディスプレイに表示された後処理種別選択画面の一例を示した図である。
【図１１】図１０においてパンチ処理を選択した場合にディスプレイに表示される描画パターン入力画面の一例を示した図である。
【図１２】ディスプレイへの描画パターン入力の一例を示した図である。
【図１３】本発明の実施の形態１に従う画像形成装置の後処理設定手順を示すフローチャートである。
【図１４】印刷プレビュー画面においてＰ文字状のパターンが描画された場合の後処理後プレビュー画面を示す図である。
【図１５】印刷プレビュー画面においてＳ文字状のパターンが描画された場合の後処理後プレビュー画面を示す図である。
【図１６】印刷プレビュー画面においてＺ折り処理のパターンを描画した場合の後処理後プレビュー画面を示す図である。
【図１７】印刷プレビュー画面（縦置き原稿）においてＰ文字状のパターンを描画した場合の後処理プレビュー画面を示す図である。
【図１８】実施の形態２におけるプレビュー画面上でのタッチ操作の一例である。
【図１９】本発明の実施の形態２に従う画像形成装置の後処理位置の特定方式を示すフローチャートである。
【発明を実施するための形態】
【００２２】
以下、図面を参照しつつ、本発明の実施の形態について説明する。以下の説明では、同一の部品には同一の符号を付してある。それらの名称および機能も同じである。したがって、それらについての同一部分については、その詳細な説明は繰り返さない。
【００２３】
＜用語＞
以下では、本明細書において、「後処理位置」とは、後処理装置が搬送されてきたシートに対して後処理が実行されるシート内での位置を意味する。また、「後処理種別」とは、後処理装置が当該シートに対して実行される後処理の種類を意味する。本明細書においては、後処理の種類は、パンチ処理、ステープル処理およびＺ折り処理（Ｚ字状の３つ折り）として説明する。また、「後処理種別」は、たとえば、中折りなどを含んでいてもよい。
【００２４】
＜全体構成＞
まず、本発明の実施の形態に係る画像形成システム１の全体構成について説明する。画像形成装置は、たとえば、複数の原稿を順次搬送するための原稿搬送機能や自動で両面コピーを行うための再搬送機能などを有するディジタル複合機である。
【００２５】
図１は、本発明の実施の形態に従う画像形成装置１００と後処理装置３００とを含む画像形成システム１の概略構成を示す図である。
【００２６】
図１を参照して、画像形成システム１は、主に、用紙等のシートＳ上に画像を形成する画像形成装置１００と、画像が形成されたシートＳへの、パンチ処理、ステープル針処理およびＺ折り処理、などの後処理を行なう後処理装置３００とによって構成される。
【００２７】
画像形成装置１００は、コピー動作やスキャン動作における原稿の自動連続搬送を実行する原稿自動送り装置（ＡＤＦ：Auto Document Feeder）１６と、ＡＤＦ１６により搬送された原稿の画像を読み取る画像読取部１７と、画像読取部１７によって読み取られた画像の画像データまたは予め記憶された画像データに基づきシートＳ上に画像を形成する画像形成部１８とを含む。画像形成部１８は、画像形成装置１００の動作を全体的に制御する制御部１０２を含む。
【００２８】
また、画像形成装置１００の前面には、画像形成装置に対して各種操作を行なうための操作パネル１５が設けられている。この操作パネル１５には、後述するように、画像形成装置の状態や操作画面などを表示するとともに、ユーザー操作を受け付ける。
【００２９】
後処理装置３００は、後処理装置３００の動作を全体的に制御する制御部３０２と、後処理部３１０とを含み、後処理部３１０にはシートＳに対してパンチ処理を行なうパンチ処理部３１２と、ステープル処理を行なうステープル処理部３１４と、Ｚ折り処理を行なうＺ折り処理部３１６とを含んでいる。
【００３０】
＜ハードウェア構成＞
次に、画像形成装置１００のハードウェア構成について説明する。
【００３１】
図２は、本発明の実施の形態に従う画像形成装置１００のハードウェア構成を示すブロック図である。
【００３２】
図２を参照して、画像形成装置１００は、ＣＰＵ（Central Processing Unit）１０と、ＲＯＭ（Read Only Memory）１１と、ＲＡＭ（Random Access Memory）１２と、ＨＤＤ（Hard Disk Drive）１３と、通信インターフェース１４と、外部機器Ｉ／Ｆ１９と、上述した操作パネル１５と、ＡＤＦ１６と、画像読取部１７と、画像形成部１８とを含む。
【００３３】
ＣＰＵ１０は、マイクロプロセッサ（Microprocessor）、ＦＰＧＡ（Field Programmable  Gate Array）、ＡＳＩＣ（Application Specific Integrated Circuit）、ＤＳＰ（Digital  Signal Processor）およびその他の演算機能を有する回路のいずれであってもよい。
【００３４】
ＣＰＵ１０は、後述するＲＯＭ１１に予め格納されているプログラムを読み出し、プログラムを順次実行することによって、画像形成装置１００の各部を制御する。より詳細には、ＣＰＵ１０は、当該プログラムを実行することによって、後述する画像形成装置１００の処理を実現する。
【００３５】
ＲＯＭ１１は、ＣＰＵ１０で実行されるプログラムを予め格納する。ＲＡＭ１２は、ＣＰＵ１０のプログラム部分の実行に必要なデータや画像データを一時的に記憶する。ＨＤＤ１３は、比較的大容量のデータを不揮発的に格納することができ、たとえば、後述する画像読取部１７が画像を読み取ることによって取得した画像データなどを複数格納する。
【００３６】
通信インターフェース１４は、後処理装置３００と情報の通信を行なう。たとえば、ＣＰＵ１０は、後述する操作パネル１５に基づいてユーザーによって設定された、後処理の位置情報、後処理の種別情報（ステープル処理、パンチ処理、Ｚ折り処理の有無およびそれらの種類ならびに枚数等）および部数情報等を含むジョブを通信インターフェース１４を通じて後処理装置３００へ送信する。
【００３７】
外部機器Ｉ／Ｆ１９は、外部機器と接続するために設けられ、例えば、着脱自在な不揮発性の記憶媒体であるフラッシュメモリとの接続や光学ドライブとの接続を実現する。外部機器Ｉ／Ｆ１９を介して、フラッシュメモリやＣＤ−ＲＯＭ（Compact Disc Read Only Memory）およびＤＶＤ−ＲＯＭ（Digital Versatile Disc Read Only Memory）などの光学ディスクに記憶されたデータなどを遣り取りする。
【００３８】
操作パネル１５は、タッチパネルを有しており、シートＳに実行する後処理の種類の設定、その他の様々な機能の操作設定を行ない、また設定された機能の確認や種々の警告等を表示可能に構成されている。
【００３９】
図３は、本発明の実施の形態に従う操作パネル１５の外観の一例を示した図である。
操作パネル１５は、ディスプレイ５０と、コピー枚数等を設定するテンキー５４と、ディスプレイ５０の一部に読取画像のプレビュー画面５２の表示を行なうプレビュー画面表示ボタン５６と、コピー／スキャン等の処理の実行モードを変更するモード変更ボタン５８と、コピー／スキャン等の処理の実行を指示するスタートボタン６０と、描画パターンの設定モードである種別設定ボタン６２とを含む。なお、プレビュー画面５２は、原稿がスキャンされることで自動的に表示されてもよい。その他に、処理の実行の停止を指示するストップキー、各種設定条件を初期化するリセットキー等が含まれていてもよい。また、ディスプレイ５０上にはタッチパネルが設けられており、ディスプレイ５０上において所定の操作が可能である。
【００４０】
後処理装置３００は、全体として後述するような処理を提供できればよく、そのハードウェア構成については公知のものを採用することができる。従って、ここでは詳細な説明は行なわない。
【００４１】
＜機能構成＞
次に、本発明の実施に形態に従う画像形成システム１の機能構成について説明する。
【００４２】
図４は、本発明の実施の形態に従う画像形成システム１の機能構成を示す模式図である。
【００４３】
図４を参照して、画像形成装置１００は、その機能構成として、制御部１０２と、設定部１０６と、位置特定部１０８と、種別特定部１１０と、判断部１１２と、表示制御部１１４と、画像処理部１１６と、操作部１１８と、記憶部１２０と、表示部１２２とを含む。そして、上述したように、画像形成装置１００は、通信インターフェース１４と、画像読取部１７と、画像形成部１８とを含む。
【００４４】
制御部１０２と、設定部１０６と、位置特定部１０８と、種別特定部１１０と、判断部１１２と、表示制御部１１４と、画像処理部１１６とは、ＣＰＵ１０がＲＯＭ１１やＲＡＭ１２やＨＤＤ１３に予め格納されていたプログラムを読み出して実行することにより実現されるものである。ただし、これらの各部は専用のハードウェア回路によって実現されてもよい。
【００４５】
以下、画像形成装置１００が有する機能ブロックの各々について詳述する。
制御部１０２は、画像形成装置１００の各部の動作を制御する。
【００４６】
設定部１０６は、所定のパターン描画と後処理種別とを関連付けて、後述する記憶部１２０に記憶する。たとえば、設定部１０６は、Ｚ折り処理に対応するパターン描画設定画面において、制御部１０２が操作部１１８を介してユーザーからＺ文字状のパターン描画を受け付けると、当該Ｚ文字状のパターン描画とＺ折り処理とを関連付けて記憶部１２０に記憶する。
【００４７】
位置特定部１０８は、ユーザーからプレビュー画面上においてタッチ操作された位置に応じて、後処理位置を特定する。たとえば、位置特定部１０８は、プレビュー画面上の右領域がタッチ操作された場合、後処理位置は右側であると特定する。
【００４８】
種別特定部１１０は、ユーザーからプレビュー画面上においてタッチ操作された描画パターンに応じて、後処理種別を特定する。たとえば、種別特定部１１０は、プレビュー画面上においてＰ文字状のパターンがタッチ操作された場合、後処理種別はパンチ処理であると特定する。
【００４９】
判断部１１２は、位置特定部１０８によって特定された後処理位置と種別特定部１１０によって特定された後処理種別とに応じて特定された後処理をすることが可能か否かを判断する。たとえば、Ａ３サイズの横置き（短辺側が左右、長辺側が上下）の場合、左右方向にＺ折り処理を実行することはできるが、上下方向にＺ折り処理を実行することはできないと判断する。
【００５０】
画像処理部１１６は、画像読取部１７によって読み取られた画像に基づいて画像データを生成する。また、当該画像データを後述する記憶部１２０に一時的に記憶する。
【００５１】
表示制御部１１４は、表示部１２２に各種情報や画像データのプレビュー表示をするように制御する。たとえば、画像処理部１１６により生成された画像データを表示部１２２にプレビュー表示したりする。
【００５２】
操作部１１８は、ユーザーから各種の指示を受け付ける。たとえば、操作部１１８は、ユーザーからの操作に応じて、コピー／スキャナーの設定、後処理の種類の設定、その他の様々な機能の設定を行なう。
【００５３】
記憶部１２０は、上述したＲＯＭ１１や、ＲＡＭ１２や、ＨＤＤ１３などの不揮発性メモリーなどによって実現される。画像処理部１１６によって生成された画像データ、後処理設定情報、各種処理の実行プログラムなどを記憶する。
【００５４】
これに対して、後処理装置３００は、制御部３０２と、通信インターフェース３０４と、記憶部３０６と、後処理部３１０とを含む。また、後処理部３１０には、パンチ処理部３１２と、ステープル処理部３１４と、Ｚ折り処理部３１６とを含む。
【００５５】
制御部３０２は、後処理装置３００の各部の動作を制御する。制御部３０２の各部の動作制御は、後処理装置３００に含まれるＣＰＵがＲＯＭに予め格納されている各種プログラムを実行することによって達成される。
【００５６】
通信インターフェース３０４は、画像形成装置１００と情報の通信を行なう。たとえば、画像形成装置１００から送信された後処理の種別情報、部数情報等を含むジョブを受信する。
【００５７】
記憶部３０６は、ＲＯＭやＲＡＭを含み、ＣＰＵが実行するプログラムを格納したり、ＣＰＵがプログラムを実行するために必要なデータを一時的に記憶したりする。
【００５８】
通信インターフェース３０４が受信した情報に基づいて、パンチ処理部３１２は、シートＳにパンチ処理を施し、ステープル処理部３１４は、シートＳにステープル処理を施し、Ｚ折り処理部３１６は、シートＳにＺ折り処理を実行する。
【００５９】
＜システム動作概要＞
本発明の実施の形態に従う画像形成システム１における動作概要について説明する。
【００６０】
まず、画像形成装置１００において実行される動作について説明する。
図５は、本発明の実施の形態に従う画像形成装置１００において実行される処理手順を示すフローチャートである。
【００６１】
図５を参照して、まずＡＤＦ１８に原稿がセットされ、制御部１０２が操作部１１８を介してユーザーからのスキャナー処理に対する指示を受け付ける（ステップＳ１０２）。具体的には、操作パネル１５においてユーザーはモード変更ボタン５８によりスキャンモードを選択してスタートボタンを押下する。
【００６２】
次に、画像読取部１７は、ＡＤＦ１８から自動搬送された原稿の画像を読み取り、当該読取画像が画像処理部１１６によって画像データとして生成され、当該画像データが記憶部１２０に記憶される（ステップＳ１０４）。
【００６３】
次に、制御部１０２が、操作部１１８を介してユーザーからプレビュー画面表示についての入力を受け付けると、表示制御部１１４は表示部１２２にプレビュー画面を表示をするように制御する（ステップＳ１０６）。具体的には、ユーザーがプレビュー画面表示ボタン５６を押下すると、ディスプレイ５０の一部にプレビュー画面５２が表示される。
【００６４】
次に、制御部１０２は、操作部１１８を介してユーザーから後処理設定の要求を受け付けたか否かを判断する（ステップＳ１０８）。制御部１０２が、後処理設定を受け付けたと判断すると（ステップＳ１０８においてＹＥＳである場合）、所定の後処理設定を行なう（ステップＳ１１０）。後処理設定方式についての詳細は後述する。次に、通信インターフェース１４は、設定された後処理設定情報を後処理装置３００に送信する（ステップＳ１１２）。
【００６５】
次に、制御部１０２が、操作部１１８を介してユーザーから印刷開始要求を受け付けたか否かを判断する（ステップＳ１１４）。制御部１０２が、印刷開始要求を受け付けていないと判断すると（ステップＳ１１４においてＮＯ）、ステップＳ１１４からの処理を繰り返す。一方、制御部１０２が、印刷開始要求を受け付けたと判断すると（ステップＳ１１４においてＹＥＳ）、印刷が開始され（ステップＳ１１６）、画像形成部１８がシートＳに画像が形成し、所定の後処理を行なう後処理装置３００にシートＳが出力され、処理を終了する。
【００６６】
一方、Ｓ１０８の処理において、制御部１０２が後処理設定を受け付けていないと判断すると（ステップＳ１０８においてＮＯである場合）、ステップＳ１１４からの処理が実行される。
【００６７】
次に、後処理装置３００において実行される動作について説明する。
図６は、本発明の実施の形態に従う後処理装置３００において実行されるフローチャートである。
【００６８】
図６を参照して、まず画像形成装置１００によって画像形成されたシートＳは後処理装置３００に搬送される（ステップＳ１５０）。制御部３０２は、通信インターフェース３０４を介して画像形成装置１００から後処理設定情報を受信しているか否かを判断する（ステップＳ１５２）。制御部３０２は、後処理設定情報を受信していないと判断すると（ステップＳ１５２においてＮＯ）、そのままシートＳを排紙して（ステップＳ１５６）、処理を終了する。
【００６９】
一方、制御部３０２が、後処理設定情報を受信していると判断すると（ステップＳ１５２においてＹＥＳ）、後処理部３１０は当該受信した後処理設定情報に基づいて後処理を実行する（ステップＳ１５４）。たとえば、後処理設定情報がパンチ処理であればパンチ処理部３１２がシートＳに対してパンチ処理を実行する。同様に、後処理設定情報がステープル処理であればステープル処理部３１４がシートＳに対してステープル処理を実行し、後処理設定情報がＺ折り処理であればＺ折り処理部３１６がシートＳに対してＺ折り処理を実行する。
【００７０】
次に、後処理されたシートＳは排紙され（ステップＳ１５６）、処理を終了する。
＜通紙方向に対する後処理位置＞
次に、後処理装置３００において、通紙方向に対して後処理することが可能な後処理位置について説明する。
【００７１】
図７は、本発明の実施の形態に従う後処理装置３００において通紙方向に対して可能な後処理位置の一例を示した図である。以下では、説明のため、紙面に対して上方向を「上」、下方向を「下」、左方向を「左」、右方向を「右」と記載する。また、本発明の実施の形態に従う後処理装置３００による後処理は、シートＳが短辺側から通紙されるときに後処理が可能であるとする。
【００７２】
図７を参照して、たとえば、シートＳがＡ３サイズの横置きであり、通紙方向が左方の場合（右側から左側にシートＳが通紙されるとき）には、シートＳの上側もしくは左側へのパンチ処理が可能である。同様にステープル処理の場合もシートＳの上側もしくは左側へのステープル処理が可能である。また、Ｚ折り処理の場合は、シートＳの右側から左側に折る処理をすることが可能である。なお、原稿サイズがＡ３以外の用紙（たとえば、Ａ４、Ｂ４、Ｂ５など）であってもよい。
【００７３】
＜実施の形態１＞
実施の形態１として、ユーザーからのディスプレイ５０への所定のタッチ操作に応じて、後処理が設定される例について説明する。
【００７４】
（後処理の特定方式）
シートＳのどの位置に後処理を実行するのかを特定するための後処理位置の特定方式と、どの後処理（パンチ処理、ステープル処理、Ｚ折り処理）を実行するのかを特定する後処理種別の特定方式について説明する。
【００７５】
まず、本発明の実施の形態１に従う画像形成装置１００で設定される後処理位置の特定方式について説明する。
【００７６】
図８は、ディスプレイ５０に表示されるプレビュー画面５２に予め関連付けられている後処理位置を特定する領域を示す図である。
【００７７】
図８を参照して、図５のステップＳ１０６の処理で表示されるプレビュー画面５２には、予めＡ〜Ｄの領域と関連付けられた後処理位置情報が記憶部１２０に記憶されている。たとえば、ユーザーから領域Ａに対してパンチ処理またはステープル処理を実行させるタッチ操作があった場合、シートＳの上側への後処理（パンチ処理またはステープル処理）であると特定される。同様にＢの領域であればシートＳの下側への後処理であると特定され、Ｃの領域であればシートＳの左側への後処理であると特定される。Ｄの領域であればシートＳの右側への後処理であると特定される。
【００７８】
一方、ユーザーから領域Ａに対してＺ折り処理を実行させるタッチ操作があった場合、シートＳの上側へのＺ折り処理（シートＳを下側から上側へ折る処理）と特定される。言い換えると、プレビュー画面の上方向を通紙方向としたＺ折り処理と特定される。同様にＢの領域であれば、シートＳの下側へのＺ折り処理（シートＳを上側から下側へ折る処理）であると特定される。言い換えると、プレビュー画面の下方向を通紙方向としたＺ折り処理と特定される。Ｃの領域であればシートＳの左側へのＺ折り処理（シートＳを右側から左側へ折る処理）であると特定される。言い換えると、プレビュー画面の左方向を通紙方向としたＺ折り処理と特定される。Ｄの領域であればシートＳの右側へのＺ折り処理（シートＳを左側から右側へ折る処理）であると特定される。言い換えると、プレビュー画面の右方向を通紙方向としたＺ折り処理と特定される。
【００７９】
ただし、図７で説明したようにシートＳの通紙方向に対して後処理装置３００が可能な後処理位置は制限される。詳細は後述するが、読取画像に対する後処理位置では後処理ができない場合には、読取画像を回転させた画像に対して後処理がなされ、読取画像を回転させても後処理ができない場合にはエラー警告がなされる。
【００８０】
次に、本発明の実施の形態１に従う画像形成装置１００の後処理種別の特定方式について説明する。
【００８１】
図９は、本発明の実施の形態１に従う画像形成装置１００の後処理種別を特定するための描画パターンの初期設定手順のフローチャートを示す図である。
【００８２】
まず、制御部１０２が、操作部１１８を介してユーザーから後処理種別を特定する描画パターンを設定する種別設定モードへの移行指示を受け付けると（ステップＳ２０２）、表示制御部１１４は表示部１２２に後処理種別の選択画面を表示するように制御する（ステップＳ２０４）。具体的には、ユーザーは種別設定ボタン６２を押下すると、ディスプレイ５０に後処理種別選択画面が表示される。
【００８３】
図１０は、ディスプレイ５０に表示された後処理種別選択画面の一例を示した図である。
【００８４】
再び図９を参照して、制御部１０２が、操作部１１８を介してユーザーから後処理種別（パンチ処理、ステープル処理、Ｚ折り処理）の選択を受け付けると（ステップＳ２０６）、表示制御部１１４は表示部１２２に後処理種別に対応した描画パターン入力画面を表示するように制御する（ステップＳ２０８）。具体的には、ユーザーはタッチ操作によりパンチ処理、ステープル処理またはＺ折り処理を選択すると、選択した後処理に対応した描画パターン入力画面がディスプレイ５０に表示される。
【００８５】
図１１は、図１０においてパンチ処理を選択した場合にディスプレイ５０に表示される描画パターン入力画面の一例を示した図である。
【００８６】
再び図９を参照して、制御部１０２が、操作部１１８を介してユーザーから描画パターン入力を受け付けると（ステップＳ２１０）、設定部１０６は事前に選択された後処理種別と入力された描画パターンとを関連付けて記憶部１２０に記憶する（ステップＳ２１２）。
【００８７】
図１２は、ディスプレイ５０への描画パターン入力の一例を示した図である。
図１２（ａ）は、パンチ処理を特定するタッチ操作の一例として、タッチ位置がその位置からＰ文字状を描くように連続して移動し、その後離す操作を表わしている。
【００８８】
図１２（ｂ）は、ステープル処理を特定するタッチ操作の一例として、タッチ位置がその位置からＳ文字状を描くように連続して移動し、その後離す操作を表わしている。
【００８９】
図１２（ｃ）は、Ｚ折り処理を特定するタッチ操作の一例として、タッチ位置がその位置からＺ文字状を描くように連続して移動し、その後離す操作を表わしている。
【００９０】
図１２（ａ）を参照して、後処理種別選択画面でパンチ処理が選択された後に、Ｐ文字状の描画パターンが入力されると、設定部１０６は、パンチ処理とＰ文字状の描画パターンとを関連付けて設定する。同様に、図１２（ｂ）を参照して、ステープル処理の選択後にＳ文字状のパターン描画が入力されると、設定部１０６は、ステープル処理とＳ文字状の描画パターンとを関連付けて設定する。図１２（ｃ）を参照して、Ｚ折り処理の選択後にＺ文字状の描画パターンが入力されると、設定部１０６は、Ｚ折り処理とＺ文字状の描画パターンとを関連付けて設定する。なお、後処理種別を特定するための上記描画パターンはユーザーが任意に定めることができるものであり、これらの例に限定されない。
【００９１】
再び図９を参照して、制御部１０２は、操作部１１８を介してユーザーから他の後処理種別の描画パターン設定についての要求があったか否かを判断する（ステップＳ２１４）。制御部１０２は、他に描画パターン設定の入力があると判断すると（ステップＳ２１４においてＹＥＳ）、ステップＳ２０４からの処理を繰り返す。一方、制御部１０２は、他に描画パターン設定の入力がないと判断すると（ステップＳ２１４においてＮＯ）、処理を終了する。
【００９２】
なお、上記ではユーザーが後処理種別に対応する描画パターンを設定して記憶させておくことで、当該描画パターンにより後処理種別を選択することができるとしたが、予めデフォルトで後処理種別に対応する描画パターンが設定されていてもよい。
【００９３】
（後処理設定手順）
次に、本発明の実施の形態１に従う後処理設定（図５のステップＳ１１０）の詳細について説明する。
【００９４】
図１３は、本発明の実施の形態１に従う画像形成装置１００の後処理設定手順を示すフローチャートである。
【００９５】
まず、表示部１２２に印刷プレビュー画面が表示されている状態で（ステップＳ３０２）、制御部１０２が操作部１１８を介してユーザーから後処理を設定するための描画パターンを受付ける（ステップＳ３０４）。
【００９６】
次に、位置特定部１０８は、プレビュー画面上にタッチ操作された領域情報から、予め領域情報と関連付けられて記憶部１２０に記憶されている後処理位置を特定する（ステップＳ３０６）。また、同時に当該操作信号により種別特定部１１０は、プレビュー画面上にタッチ操作された描画パターン情報から、予め描画パターン情報と関連付けて記憶部１２０に記憶されている後処理種別を特定する（ステップＳ３０８）。
【００９７】
次に、判断部１１２は、位置特定部１０８により特定された後処理位置と種別特定部１１０により特定された後処理種別とからなる後処理を特定し、当該後処理が実行可能か否かを判断する（ステップＳ３１０）。判断部１１２による判断方式についての詳細は後述する。
【００９８】
判断部１１２が後処理が実行可能であると判断すると（ステップＳ３１０においてＹＥＳ）、表示制御部１１４は表示部１２２に後処理が実行された後の後処理後プレビュー画面を表示するように制御する（ステップＳ３１６）。
【００９９】
一方、判断部１１２が後処理が実行可能でないと判断すると（ステップＳ３１０においてＮＯ）、さらに読取画像を回転することで後処理が実行可能であるか否かを判断する（ステップＳ３１２）。判断部１１２が読取画像を回転しても後処理が実行可能ではないと判断すると（ステップＳ３１２においてＮＯである場合）、表示制御部１１４は表示部１２２にエラー警告を表示するように制御し（ステップＳ３１８）、ステップＳ３０４からの処理を繰り返す。
【０１００】
一方、判断部１１２が、画像データを回転することで後処理が実行可能であると判断すると（ステップＳ３１２においてＹＥＳ）、画像処理部１１６は読取画像を回転させて（ステップＳ３１４）、表示制御部１１４は表示部１２２に読取画像を回転させた画像に後処理が実行された後の後処理後プレビュー画面を表示するように制御する（ステップＳ３１６）。
【０１０１】
次に、制御部１０２が操作部１１８を介してユーザーから後処理設定完了の要求を受付けると、後処理設定を完了して（ステップＳ３２０）、処理を終了する。
【０１０２】
なお、上記においてステップＳ３０６とＳ３０８とは順序を入れ替えて処理が行なわれてもよい。
【０１０３】
ここで、主として判断部１１２が後処理が実行可能か否かを判断する方式について、ステップＳ３１０〜Ｓ３１６における処理の具体的に例を挙げて説明する。
【０１０４】
まず、プレビュー画面においてＰ文字状のパターンが描画された場合について説明する。
【０１０５】
図１４は、印刷プレビュー画面においてＰ文字状のパターンが描画された場合の後処理後プレビュー画面を示す図である。
【０１０６】
図１４を参照して、画面１０００は、横置きＡ３サイズの原稿の読取画像の印刷プレビュー画面を示しており（図１３のステップＳ３０２に対応）、画面１００２Ａ〜１００２Ｄは、それぞれ画面１０００に対して図８で説明したＡ〜Ｄの領域にＰ文字状のパターン描画を行なった場合の画面を示している（ステップＳ３０４に対応）。また、画面１００４Ａ〜１００４Ｄは、それぞれ画面１００２Ａ〜１００２Ｄに対応する後処理後のプレビュー画面を示している（ステップＳ３１６に対応）。なお、図８で説明したように、本発明の実施の形態に従う後処理装置３００による後処理は短辺側から通紙されるときに後処理が可能である。ここでは読取画像に対して左方向が通紙方向であるとする。
【０１０７】
画面１００２Ａでは、プレビュー画面上のＡの領域にＰ文字状のパターンが描画されていることから、領域Ａの位置情報から位置特定部１０８はシートＳの上側への後処理と特定し（ステップＳ３０６に対応）、Ｐ文字状のパターン情報から種別特定部１１０は後処理種別がパンチ処理であると特定する（ステップＳ３０８に対応）。判断部１１２は、当該特定された後処理の位置情報および種別情報から、後処理がシートＳの上側へのパンチ処理であると判断し、図７で説明した通紙方向と後処理可能位置との関係を考慮して、当該後処理が実行可能か否かを判断する（ステップＳ３１０に対応）。ここで、通紙方向が左方向であり、かつ後処理位置がシートＳの上側であることから、判断部１１２は、画面１００２Ａにて実行された描画パターンにより特定された後処理は後処理可能であると判断する（ステップＳ３１０においてＹＥＳに対応）。したがって、後処理後プレビュー画面には、読取画像を転写したシートＳの上側にパンチ処理が実行されたイメージ画像である画面１００４Ａが表示される（ステップＳ３１６に対応）。
【０１０８】
画面１００２Ｂでは、プレビュー画面上のＢの領域にＰ文字状のパターンが描画されていることから、後処理はシートＳの下側へのパンチ処理であると特定される。この場合、判断部１１２は、通紙方向が左方向でありかつ後処理位置が下側であることを考慮して、当該特定された後処理は実行不可であると判断する（ステップＳ３１０においてＮＯに対応）。したがって、判断部１１２は、読取画像を回転した画像が転写されたシートＳへの後処理が可能か否かを判断する（ステップＳ３１２に対応）。ここで、読取画像が転写されたシートＳの下側にパンチ処理することは、読取画像を１８０°回転させた画像が転写されたシートＳの上側でパンチ処理を実行することと同じである。つまり、判断部１１２は読取画像を回転することで所望の位置へのパンチ処理が可能であると判断する（ステップＳ３１２においてＹＥＳに対応）。したがって、後処理後プレビュー画面には、読取画像を１８０°回転させた画像を転写したシートＳの上側にパンチ処理が実行されたイメージ画像である画面１００４Ｂが表示される（ステップＳ３１６に対応）。
【０１０９】
画面１００２Ｃでは、プレビュー画面上のＣの領域にＰ文字状のパターンが描画されていることから、後処理はシートＳの左側へのパンチ処理であると特定される。判断部１１２は、通紙方向が左方向でありかつ後処理位置が左側であることを考慮して、パンチ処理が実行可能であると判断するため（ステップＳ３１０においてＹＥＳに対応）、後処理後プレビュー画面には、読取画像の左側にパンチ処理が実行された画面１００４Ｃが表示される（ステップＳ３１６に対応）。
【０１１０】
画面１００２Ｄでは、プレビュー画面上のＤの領域にＰ文字状のパターンが描画されていることから、後処理はシートＳの右側へのパンチ処理であると特定される。この場合、判断部１１２は通紙方向が左方向でありかつ後処理位置が右側であることを考慮して、当該特定された後処理が実行不可であると判断する（ステップＳ３１０においてＮＯに対応）。しかし、判断部１１２は、読取画像を１８０°回転することで所望の位置にパンチ処理を実行することが可能と判断するため（ステップＳ３１２においてＹＥＳに対応）、読取画像を１８０°回転させた画像を転写したシートＳの左側にパンチ処理が実行されたイメージ画像である画面１００４Ｄが表示される（ステップＳ３１６に対応）。
【０１１１】
次に、プレビュー画面においてＳ文字状のパターンが描画された場合について説明する。
【０１１２】
図１５は、印刷プレビュー画面においてＳ文字状のパターンが描画された場合の後処理後プレビュー画面を示す図である。
【０１１３】
図１５を参照して、画面１１００は、横置きＡ３サイズの原稿の読取画像のプレビュー画面を示しており（図１３のステップＳ３０２に対応）、画面１１０２Ａ〜１１０２Ｄは、画面１１００に対して図８で説明したＡ〜Ｄの領域にＳ文字状のパターン描画を行なった場合の画面を示している（ステップＳ３０４に対応）。また、画面１１０４Ａ〜１１０４Ｄは、それぞれ画面１１０２Ａ〜１１０２Ｄに対応する後処理後のプレビュー画面を示している（ステップＳ３１６に対応）。
【０１１４】
ここで、図１５の画面１１０２Ａ〜１１０２Ｄは、図１４の画面１００２Ａ〜１００２ＤのＰ文字状の描画パターンがＳ文字状の描画パターンに置き換わったものに対応し、画面１１０４Ａ〜１１０４Ｄは、画面１００４Ａ〜１００４Ｄのパンチ処理がステープル処理に置き換わったものに対応する。つまり、ステープル処理の場合は、図１４で説明したパンチ処理の場合と同様の判断方式であるため、その詳細な説明は繰り返さない。
【０１１５】
次に、後処理がＺ折り処理である場合の判断方式について説明する。
図１６は、印刷プレビュー画面においてＺ折り処理のパターンを描画した場合の後処理後プレビュー画面を示す図である。
【０１１６】
図１６を参照して、画面１２００は、横置きＡ３サイズの原稿の読取画像の印刷プレビュー画面を示しており（ステップＳ３０２に対応）、画面１２０２Ａ〜１２０２Ｄは、画面１２００に対して図８で説明したＡ〜Ｄの領域にＺ文字状のパターン描画を行なった場合の画面を示している（ステップＳ３０４に対応）。また、画面１２０４Ａ〜１２０４Ｄは、それぞれ画面１２０２Ａ〜１２０２Ｄに対応する後処理後のプレビュー画面を示している（ステップＳ３１６に対応）。
【０１１７】
画面１２０２Ａでは、プレビュー画面上のＡの領域にＺ文字状のパターンが描画されていることから、領域Ａの情報から位置特定部１０８はシートＳの上側への後処理と特定し（ステップＳ３０６に対応）、Ｚ文字状のパターン情報から種別特定部１１０はＺ折り処理と特定する（ステップＳ３０８に対応）。判断部１１２は、当該特定された後処理の位置および種別から、後処理がシートＳの上側へのＺ折り処理（シートＳを下側から上側へ折る処理）と判断し、図７で説明した通紙方向と後処理可能位置との関係を考慮して、当該後処理が実行不可であると判断する（ステップＳ３１０においてＮＯに対応）。さらに、読取画像を回転させても当該後処理を実行することはできないため、判断部１１２は読取画像を回転することでもＺ折り処理はできないと判断する（ステップＳ３１２においてＮＯに対応）。したがって、エラー警告が表示されている画面１２０４Ａが表示される（ステップＳ３１８に対応）。
【０１１８】
画面１２０２Ｂでは、プレビュー画面上のＢの領域にＺ文字状のパターンが描画されていることから、後処理はシートＳの下側へのＺ折り処理（シートＳを上側から下側へ折る処理）であると特定される。この場合、判断部１１２は、通紙方向と後処理可能位置との関係を考慮して、当該特定された後処理は実行不可であると判断し（ステップＳ３１０においてＮＯに対応）、読取画像の回転によってもＺ折り処理はできないと判断する（ステップＳ３１２においてＮＯに対応）。したがって、後処理後プレビュー画面には、エラー警告が表示されている画面１２０４Ｂが表示される（ステップＳ３１８に対応）。
【０１１９】
画面１２０２Ｃでは、プレビュー画面上のＣの領域にＺ文字状のパターンが描画されていることから、後処理はシートＳの左側へのＺ折り処理（シートＳを右側から左側へ折る処理）と特定される。この場合、判断部１１２は、通紙方向と後処理可能位置の関係を考慮して、当該特定された後処理は実行可能であると判断するため（ステップＳ３１０においてＹＥＳに対応）、後処理後プレビュー画面には、読取画像を転写したシートＳの左側へのＺ折り処理が実行されたイメージ画像である画面１２０４Ｃが表示される（ステップＳ３１６に対応）。
【０１２０】
画面１２０２Ｄでは、プレビュー画面上のＤの領域にＺ文字状のパターンが描画されていることから、後処理はシートＳの右側へのＺ折り処理（シートＳを左側から右側へ折る処理）と特定される。この場合、判断部１１２は、通紙方向と後処理可能位置の関係を考慮して、当該特定された後処理は実行不可であると判断する（ステップＳ３１０においてＮＯに対応）。ここで、読取画像を転写したシートＳの右側へのＺ折り処理を実行することは、読取画像を１８０°回転させた画像を転写したシートＳの左側へのＺ折り処理を実行することと同じである。つまり、判断部１１２は画像回転によりシートＳの所望の位置にＺ折り処理を実行することが可能であると判断する（ステップＳ３１２においてＹＥＳに対応）。したがって、後処理後プレビュー画面には、読取画像を１８０°回転させた画像を転写したシートＳの左側へのＺ折り処理が実行された画面１２０４Ｄが表示される（ステップＳ３１６に対応）。
【０１２１】
次に、原稿を縦置き（短辺側が紙面に対して上下方向）で読取を行った場合について説明する。
【０１２２】
図１７は、印刷プレビュー画面（縦置き原稿）においてＰ文字状のパターンを描画した場合の後処理プレビュー画面を示す図である。
【０１２３】
図１７を参照して、画面１３００は、縦置きＡ３サイズの原稿の読取画像の印刷プレビュー画面を示しており（ステップＳ３０２に対応）、画面１３０２Ａ〜１３０２Ｄは、画面１３００に対して図８で説明したＡ〜Ｄの領域にＰ文字状のパターン描画を行なった場合の画面を示している（ステップＳ３０４に対応）。また、画面１３０４Ａ〜１３０４Ｄは、それぞれ画面１３０２Ａ〜１３０２Ｄに対応する後処理後のプレビュー画面を示している（ステップＳ３１６に対応）。ここでは読取画像に対して左方向が通紙方向であるとする。
【０１２４】
画面１３０２Ａでは、プレビュー画面上のＡの領域にＰ文字状のパターンが描画されていることから、後処理はシートＳの上側へのパンチ処理と特定される（ステップＳ３０６、Ｓ３０８に対応）。この場合、判断部１１２は、通紙方向と後処理可能位置の関係を考慮して、当該特定された後処理が実行可能か否かを判断する（ステップＳ３１０に対応）。ここで、後処理装置３００は、上述したように短辺側から通紙されるときに後処理が可能である。つまり、通紙方向が左方向の場合には、縦置きの読取画像のまま長辺側から通紙して後処理をすることはできない。ここで、当該読取画像が転写されたシートＳの上側へのパンチ処理を実行することは、当該読取画像を９０°左回転させた画像が転写されたシートＳの左側へのパンチ処理を実行することと同じである。したがって、判断部１１２は読取画像を回転することで所望の位置へのパンチ処理を実行することが可能であると判断する（ステップＳ３１２においてＹＥＳに対応）。したがって、後処理後プレビュー画面には、読取画像を９０°左回転させた画像が転写されたシートＳの左側へのパンチ処理が実行された画面１３０４Ａが表示される（ステップＳ３１６に対応）。
【０１２５】
以下、同様に画面１３０２Ｂでは、後処理はシートＳの下側へのパンチ処理と特定され、読取画像を９０°右回転させた画像が転写されたシートＳの左側へのパンチ処理が実行された画面１３０４Ｂが表示される。画面１３０２Ｃでは、後処理はシートＳの左側へのパンチ処理と特定され、読取画像を９０°右回転させた画像が転写されたシートＳの上側へのパンチ処理が実行された画面１３０４Ｃが表示される。画面１３０２Ｄでは、後処理はシートＳの右側へのパンチ処理と特定され、読取画像を９０°左回転させた画像が転写されたシートＳの上側へのパンチ処理が実行された画面１３０４Ｄが表示される。
【０１２６】
以上から、ユーザーがプレビュー画面上における視覚的な操作によって、シートＳに対する後処理を実行することが可能となる。つまり、ユーザーは、原稿をセットするときに原稿の向きや縦置きや横置きなどを意識することなく、セットした原稿が読取られた画像に対して視覚的に操作を行なう（所望の位置に所望のパターンを描画）ことによって、シートＳに所望の後処理が実行される。したがって、ユーザーは原稿を再度セットし直す必要もないし、またユーザー自身で読取画像を回転させる必要もない。さらに、後処理位置を間違えたパンチ処理やステープル処理、また折り目方向を間違えたＺ折りを行なう可能性を低減することができる。また、通紙方向に対して後処理位置が制限される後処理装置３００であっても、読取画像を適宜回転することで所定の位置に後処理を実行することができる。したがって、ユーザーが後処理の設定をする際に、ユーザーの利便性を向上させることができる。なお、上記では、原稿サイズをＡ３として説明したが、原稿の大きさはこれに限られず、たとえばＡ４、Ｂ４、Ｂ５などであってもよい。
【０１２７】
＜実施の形態２＞
次に、実施の形態２として、ユーザーからの実施の形態１とは異なるディスプレイ５０への所定のタッチ操作に応じて、後処理が設定される例について説明する。
【０１２８】
（後処理の特定方式）
実施の形態１では、所定のパターンが描画された領域に対して後処理位置および後処理種別を特定した。一方、実施の形態２においては、所定のパターンによる後処理種別（パンチ処理、ステープル処理、Ｚ折り処理）を特定する特定方式については同様であるが、所定のパターンが描画された領域とは異なる領域において、一定時間連続でタッチ操作がなされている場合には、所定のパターンが描画された領域ではなく、当該一定時間連続でタッチ操作された領域を後処理位置として特定する。したがって、ここでは、後処理種別（パンチ、ステープル、Ｚ折り）の特定方式に関しては実施の形態１と同様であるため、詳細な説明は繰り返さない。
【０１２９】
図１８は、実施の形態２におけるプレビュー画面上でのタッチ操作の一例である。
図１８を参照して、たとえば、（１）では右手で領域Ａに一定時間タッチ操作をしている状態で、左手でＰ文字状のパターン描画を領域Ｃで行なうことを意味している。同様に、（２）では右手で領域Ｄに一定時間タッチ操作をしている状態で、左手でＰ文字状のパターン描画を領域Ｃで行なうことを意味しており、（３）では右手で領域Ｂに一定時間タッチ操作をしている状態で、左手でＰ文字状のパターン描画を領域Ｃで行なうことを意味している。
【０１３０】
このとき、（１）の場合には右手で一定時間タッチ操作をしている領域Ａを後処理位置として特定し、後処理種別はパンチ処理であると特定する。つまり、後処置位置および後処理種別の設定方式は、実施の形態１における図１４で説明した画面１００２Ａでの設定方式に対応する。同様に、（２）の場合には領域Ｄを後処理位置として特定するため、画面１００２Ｄでの設定方式に対応し、（３）の場合には領域Ｂを後処理位置として特定するため、画面１００２Ｂでの設定方式に対応する。
【０１３１】
図１９は、本発明の実施の形態２に従う画像形成装置１００の後処理位置の特定方式を示すフローチャートである。
【０１３２】
まず、表示部１２２に印刷プレビュー画面が表示されている状態で（ステップＳ４０２）、制御部１０２が操作部１１８を介してユーザーからプレビュー画面において、一定時間同じ領域にタッチ操作があったか否かを判断する（ステップＳ４０４）。制御部１０２は、一定時間タッチ操作があったと判断すると（ステップＳ４０４においてＹＥＳ）、位置特定部１０８は、当該タッチ操作されている領域を後処理位置として特定する（ステップＳ４０６）。一方、一定時間同じ領域にタッチ操作がないと判断すると（ステップＳ４０４においてＮＯ）、ステップＳ４０４の状態を維持する。
【０１３３】
その後の処理は、実施の形態１における図１３のステップＳ３０８以降の処理と同じ処理であるため詳細な説明は繰り返さない。
【０１３４】
また、変形例として、実施の形態１と実施の形態２における後処理位置特定方式とを組み合わせた例も考えられる。実施の形態１においては、後処理種別を特定するための描画パターンが描かれた領域を後処理位置として特定したが、たとえば当該描画パターンがＡとＢの領域を跨っておりいずれの領域にも位置するなどで、後処理位置が特定できないこともあり得る。この場合、上述したようにユーザーから所定の操作態様でタッチ操作された操作領域からは後処理位置が特定できないときは、当該タッチ操作とは別に一定時間タッチ操作された操作領域に応じて後処理位置として特定してもよい。
【０１３５】
以上から、ユーザーはまず後処理位置をタッチ操作して特定した後に、所定のパターンを描画することにより後処理設定をすることが可能である。また、操作パネルが小さくプレビュー画面の限られた領域に描画パターンを描くことが困難である場合に、まず後処理位置をタッチして特定できるため、プレビュー画面の表示領域内の位置を意識することなく所定の描画パターンを描くことができる。したがって、ユーザーが後処理の設定をする際に、ユーザーの利便性を向上させることができる。
【０１３６】
＜その他の実施の形態＞
上記では、後処理装置３００は画像形成装置１００と独立している例について説明したが、後処理装置３００と同様の機能を有する後処理部が画像形成装置１００に内蔵されていてもよい。
【０１３７】
上述のフローで説明したような制御を実行させるプログラムは、コンピューターに付属するフレキシブルディスク、ＣＤ−ＲＯＭ、ＲＯＭ、ＲＡＭおよびメモリカードなどの一時的でないコンピューター読取り可能な記録媒体にて記録させて、プログラム製品として提供することもできる。あるいは、コンピューターに内蔵するハードディスクなどの記録媒体にて記録させて、プログラムを提供することもできる。また、ネットワークを介したダウンロードによって、プログラムを提供することもできる。
【０１３８】
なお、プログラムは、コンピューターのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【０１３９】
また、本発明にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【０１４０】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【０１４１】
１  画像形成システム、１０  ＣＰＵ、１１  ＲＯＭ、１２  ＲＡＭ、１３  ＨＤＤ、１４，３０４  通信インターフェース、１５  操作パネル、１６  ＡＤＦ、１７  画像読取部、１８  画像形成部、１９  外部機器Ｉ／Ｆ、５０  ディスプレイ、５２  プレビュー画面、５４  テンキー、５６  プレビュー画面表示ボタン、５８  モード変更ボタン、６０  スタートボタン、６２  種別設定ボタン、１００  画像形成装置、１０２，３０２  制御部、１０６  設定部、１０８  位置特定部、１１０  種別特定部、１１２  判断部、１１４  表示制御部、１１６  画像処理部、１１８  操作部、１２０，３０６  記憶部、１２２  表示部、３００  後処理装置、３１０  後処理部、３１２  パンチ処理部、３１４  ステープル処理部、３１６  Ｚ折り処理部。
【図１】
0005899688.tif 000002
【図２】
0005899688.tif 000003
【図３】
0005899688.tif 000004
【図４】
0005899688.tif 000005
【図５】
0005899688.tif 000006
【図６】
0005899688.tif 000007
【図７】
0005899688.tif 000008
【図８】
0005899688.tif 000009
【図９】
0005899688.tif 000010
【図１０】
0005899688.tif 000011
【図１１】
0005899688.tif 000012
【図１２】
0005899688.tif 000013
【図１３】
0005899688.tif 000014
【図１４】
0005899688.tif 000015
【図１５】
0005899688.tif 000016
【図１６】
0005899688.tif 000017
【図１７】
0005899688.tif 000018
【図１８】
0005899688.tif 000019
【図１９】
0005899688.tif 000020